(57)【要約】フロントパネル（１１）とリアパネル（１２）とで形成されたパネル内に、フロントパネル（１１）に近接させて配置したスイッチ基板（８０）と、リアパネル（１２）に近接させて配置したディスプレイ基板（２０）と、スイッチ基板（８０）とディスプレイ基板（２０）との間に配置した表示器（４０）と、ディスプレイ基板（２０）の少なくとも一部を表示器（４０）より側方に突出させて形成したスイッチ取付部（２０ａ）と、スイッチ取付部（２０ａ）に取り付けたロータリエンコーダ（７０）と、スイッチ基板（８０）及びフロントパネル（１１）を貫通させたロータリエンコーダ（７０）の軸に取り付けた操作ノブ（９０）とを備えた。
2011021233.tif 000002
【特許請求の範囲】
【請求項１】
フロントパネルとリアパネルとで形成されたパネル内に、
前記フロントパネルに近接させて配置したスイッチ基板と、
前記リアパネルに近接させて配置したディスプレイ基板と、
前記スイッチ基板と前記ディスプレイ基板との間に配置した表示器と、
前記ディスプレイ基板の少なくとも一部を前記表示器より周方に突出させて形成したスイッチ取付部と、
前記スイッチ取付部に取り付けたロータリエンコーダと、
前記スイッチ基板及び前記フロントパネルを貫通させた前記ロータリエンコーダの軸に取り付けた操作ノブとを備えた表示装置。
【請求項２】
スイッチ基板の表面に操作ノブを照射する光源を設けたことを特徴とする請求項１記載の表示装置。
【請求項３】
光源と操作ノブとの間にプリズムを配置したことを特徴とする請求項１記載の表示装置。
【発明の詳細な説明】
【技術分野】
【０００１】
この発明は、例えばロータリエンコーダを有する表示装置に関するものである。
【背景技術】
【０００２】
表示装置は、例えばフロントパネルとリアパネルとで形成されたパネル内に、フロントパネルに近接させてスイッチ基板が配置され、リアパネルに近接させてディスプレイ基板が配置されている。スイッチ基板上には押圧式のプッシュスイッチや回転式のロータリエンコーダが配置され、フロントパネル表面には、プッシュスイッチのボタンやロータリエンコーダの軸に取り付けた操作ノブが突出している。
また、スイッチとしては、ユーザが暗所においても視認し易くする技術が開示されている。例えば、特許文献１によれば、スイッチ基板上にスイッチ照明の光源としてＬＥＤ（Light Emitting Diode）を設け、ＬＥＤの光がボタンを背面側から照らしている。
表示装置において特許文献１のスイッチを用いる際、スイッチボタン及びスイッチノブの照明の照光範囲や照明ムラ、プッシュスイッチのフィーリング（操作感）が考慮され、スイッチ基板の配置位置はフロントパネルに近接するよう設定される。ロータリエンコーダは、スイッチ基板上に取り付けられているためフロントパネルから突出して配置され、ロータリエンコーダの軸には操作ノブが取り付けられている。
【先行技術文献】
【特許文献】
【０００３】
【特許文献１】特開２００２−１１７７４８号公報
【０００４】
しかしながら、ロータリエンコーダの軸に取り付けた操作ノブのフロントパネルからの突出量は、安全性の観点から欧州地域の法律で規制されており、従来の表示装置の構成によれば上記突出量が問題になるという課題があった。
また、スイッチ基板の奥行方向の配置位置は、ロータリエンコーダのフロントパネルからの突出量、各スイッチの照明の照光範囲や照明ムラ、プッシュスイッチのフィーリングを考慮して設定されるため、制約が多く、最適な配置位置を設定するのが困難であるという課題があった。【０００５】
この発明は、上述した課題を解決するためになされたもので、ロータリエンコーダのフロントパネルからの突出量を抑制すると共に、スイッチ基板の配置位置の制約を低減する表示装置を提供することを目的とする。
【発明の概要】
【０００６】
この発明に係る表示装置は、フロントパネルとリアパネルとで形成されたパネル内に、フロントパネルに近接させて配置したスイッチ基板と、リアパネルに近接させて配置したディスプレイ基板と、スイッチ基板とディスプレイ基板との間に配置した表示器と、ディスプレイ基板の少なくとも一部を表示器より周方に突出させて形成したスイッチ取付部と、スイッチ取付部に取り付けたロータリエンコーダと、スイッチ基板及びフロントパネルを貫通させたロータリエンコーダの軸に取り付けた操作ノブとを備えたものである。
【０００７】
この発明に係る表示装置によれば、フロントパネルとリアパネルとで形成されたパネル内に、フロントパネルに近接させてスイッチ基板が配置され、リアパネルに近接させてディスプレイ基板が配置され、ディスプレイ基板上にロータリエンコーダを配置するように構成したので、ロータリエンコーダのフロントパネルからの突出量を抑制することができるという効果を奏する。また、スイッチ基板の奥行方向の配置位置がロータリエンコーダの配置の影響を受けないため、スイッチ基板の配置位置の制約を低減することができる。その結果、スイッチ基板の配置位置の自由度が上がるという効果を奏する。
【図面の簡単な説明】
【０００８】
【図１】実施の形態１の表示装置の構成を示す分解斜視図である。
【図２】実施の形態１の表示装置の一部を切り欠いた図である。
【図３】ロータリエンコーダの配置状態を示す概略断面図であり、図３（ａ）はロータリエンコーダがディスプレイ基板に配置されている場合を示す図、図３（ｂ）はロータリエンコーダがスイッチ基板に配置されている場合を示す図である。
【発明を実施するための形態】
【０００９】
以下、この発明をより詳細に説明するために、この発明を実施するための形態について、添付の図面に従って説明する。
実施の形態１．
実施の形態１の表示装置の構成について、図１と図２を用いて説明する。
表示装置は、例えば図１に示すように、フロントパネル１１、リアパネル１２、ディスプレイ基板２０、ディスプレイ基板ホルダ３０、表示器４０、タッチパネルホルダ５０、タッチパネル６０、ロータリエンコーダ７０，７１、スイッチ基板８０，８１、操作ノブ９０，９１、光源１００，１０１、プリズム１１０，１１１から構成されている。
【００１０】
フロントパネル１１とリアパネル１２は、表示装置の筺体として内部の各構成を支持しており、フロントパネル１１は、表示部としての開口部１１ａを有する枠体で構成され、その枠体両側１１ｂの表面に、各種スイッチが配置されている。例えば、開口部１１ａの背後には、ディスプレイ基板２０、ディスプレイ基板ホルダ３０、表示器４０、タッチパネルホルダ５０、タッチパネル６０が配置される。また、枠体両側１１ｂの背後には、ロータリエンコーダ７０，７１、スイッチ基板８０，８１、光源１００，１０１、プリズム１１０，１１１が配置され、枠体両側１１ｂの表面側には、操作ノブ９０，９１が設けられる。
【００１１】
ディスプレイ基板２０はリアパネル１２に近接させて配置され、表示器４０はスイッチ基板８０とディスプレイ基板２０との間に配置される。ディスプレイ基板２０と表示器４０は、ディスプレイ基板ホルダ３０に支持され、ディスプレイ基板ホルダ３０がネジなどにより、フロントパネル１１もしくはリアパネル１２に固定される。
【００１２】
タッチパネル６０は、表示器４０の前面に配置されており、タッチパネルホルダ５０に支持される。
【００１３】
ここで、ディスプレイ基板２０は、図１に示すようにディスプレイ基板ホルダ３０、表示器４０、タッチパネルホルダ５０、タッチパネル６０の外形に比べて、少なくとも一部を表示器４０より側方（図１における上部両側）に突出させたスイッチ取付部２０ａ，２０ｂが形成されている。なお、図１においては、ディスプレイ基板２０を表示器４０より側方に突出させてスイッチ取付部２０ａ，２０ｂを形成した一例について示しているが、ディスプレイ基板２０を表示器４０の周方向の少なくとも一方向に突出させてスイッチ取付部２０ａ又はスイッチ取付部２０ｂを形成する構成であれば良い。
【００１４】
ロータリエンコーダ７０，７１は、押圧式のプッシュスイッチに比べて大型の回転式スイッチ（ロータリスイッチ）であり、例えば、ユーザからの操作による回転変位を電気信号に変換する。ロータリエンコーダ７０，７１は、図１と図２に示すようにディスプレイ基板２０のスイッチ取付部２０ａ，２０ｂに取り付けられており、ロータリエンコーダ７０，７１の軸７０ａ，７１ａはスイッチ基板８０，８１及びフロントパネル１１の枠体両側１１ｂを貫通している。
【００１５】
スイッチ基板８０，８１は、図１に示すようにフロントパネル１１に近接させて配置され、フロントパネル１１の枠体両側１１ｂとディスプレイ基板２０のスイッチ取付部２０ａ，２０ｂとの間に配置される。また、スイッチ基板８０，８１には、ロータリエンコーダ７０，７１の軸７０ａ，７１ａを貫通させてフロントパネル１１の表面近傍に到達させるための貫通部８０ａ，８１ａが形成されている。スイッチ基板８０，８１の表面には、各種スイッチに係わる接点及び配線パターンの回路が形成され、この回路はロータリエンコーダ７０，７１と電気的に接続される。
【００１６】
操作ノブ９０，９１は、図１、図２に示すようにスイッチ基板８０，８１及びフロントパネル１１の枠体両側１１ｂを貫通させたロータリエンコーダ７０，７１の軸７０ａ，７１ａの先端に取り付けられ、ユーザが回転操作し易いように設けられている。光源１００，１０１は、操作ノブ９０，９１の背面から光を照射するものであり、例えば図１及び図２に示すようにスイッチ基板８０，８１の表面に設けられたＬＥＤである。プリズム１１０，１１１は、図２に示すように光源１００，１０１と操作ノブ９０，９１との間に配置されフロントパネル１１に取り付けられており、光源１００，１０１からの光を拡散して操作ノブ９０，９１の背面から照射する。
【００１７】
なお、図１においては、ディスプレイ基板２０の両側に形成したスイッチ取付部２０ａ，２０ｂのそれぞれにロータリエンコーダ７０，７１を設けた構成について説明したが、１つのロータリエンコーダを用いるときはスイッチ取付部は１つ形成すればよい。
【００１８】
次に、上記表示装置のロータリエンコーダ７０の配置状態について図３（ａ）と図３（ｂ）を用いて説明する。図３（ｂ）は、ディスプレイ基板１２０がスイッチ取付部２０ａ，２０ｂを有しておらず、ロータリエンコーダ７０がスイッチ基板１８０に配置されている場合を示している。図３（ｂ）に示すようにロータリエンコーダ７０の軸７０ａに取り付けられた操作ノブ１９０がフロントパネル１１から突出し、軸７０ａに取り付けた操作ノブ９０のフロントパネル１１からの突出量ａ´は大きい。また、光源１００からプリズム１１０を通した光は、ロータリエンコーダ７０により遮られ、操作ノブ１９０への照光範囲ｂ´が狭い。
【００１９】
一方、図３（ａ）に示すように、ロータリエンコーダ７０がディスプレイ基板２０のスイッチ取付部２０ａに配置されており、ロータリエンコーダ７０の軸７０ａに取り付けた操作ノブ９０のフロントパネル１１からの突出量ａは小さくなる。また、光源１００からプリズム１１０を通した光は、遮蔽されずに操作ノブ９０への照光範囲ｂが広くなる。また、図３（ｂ）の光源１００は、図３（ａ）の光源１００に比べ、ロータリエンコーダ７０の中心軸寄りに配置することができ、操作ノブ９０の外側（外周方向）にも照光範囲が広がる。
【００２０】
以上のように、実施の形態１によれば、フロントパネル１１とリアパネル１２とで形成されたパネル内に、スイッチ基板８０はフロントパネル１１に近接させて配置し、ディスプレイ基板２０はリアパネル１２に近接させて配置し、表示器４０はスイッチ基板８０とディスプレイ基板２０との間に配置し、ディスプレイ基板２０の少なくとも一部を表示器４０より周方に突出させてスイッチ取付部２０ａ，２０ｂを形成し、ロータリエンコーダ７０，７１をスイッチ取付部２０ａ，２０ｂに取り付け、スイッチ基板８０，８１及びフロントパネル１１を貫通させたロータリエンコーダ７０，７１の軸７０ａ，７０ｂに操作ノブ９０，９１を取り付けたので、ロータリエンコーダ７０，７１の軸７０ａ，７０ｂに取り付けた操作ノブ９０，９１のフロントパネル１１からの突出量を抑制することができるという効果を奏する。また、スイッチ基板８０，８１の配置位置がロータリエンコーダ７０，７１の配置に影響を受けないため、スイッチ基板８０，８１の配置位置の制約を低減することができる。その結果、スイッチ基板８０，８１の配置位置の自由度が上がるという効果を奏する。
【００２１】
また、光源１００，１０１はスイッチ基板８０，８１の表面に設け、ロータリエンコーダ７０，７１はスイッチ基板８０，８１より奥に位置するディスプレイ基板２０のスイッチ取付部２０ａ，２０ｂに設けたので、ロータリエンコーダ７０，７１で光源１００，１０１の光が遮蔽されることなく、光源１００，１０１からの照光範囲が広がるという効果を奏する。また、光源１００，１０１の光がロータリエンコーダ７０，７１で遮蔽されないため、照明ムラの調整が容易になるという効果を奏する。
【００２２】
また、プリズム１１０，１１１は光源１００，１０１と操作ノブ９０，９１との間に配置したので、光源１００，１０１からの光を拡散して操作ノブ９０，９１に照射することができ、さらに照光範囲が広がるという効果を奏する。
【００２３】
さらに、ロータリエンコーダ７０，７１は、表示装置として元々有しているディスプレイ基板２０上に形成したスイッチ取付部２０ａ，２０ｂに配置されるので、部品点数が増加しないという効果を奏する。
【産業上の利用可能性】
【００２４】
以上のように、この発明に係る表示装置によれば、スイッチ基板をフロントパネルに近接させ、リアパネルに近接させたディスプレイ基板の少なくとも一部を周方に突出させてスイッチ取付部を形成し、ロータリエンコーダをスイッチ取付部に取り付け、スイッチ基板とフロントパネルを貫通したロータリエンコーダの軸に操作ノブを取り付けたことにより、ロータリエンコーダの軸に取り付けた操作ノブのフロントパネルからの突出量を抑制することができるため、車載用電子機器の表示装置に適している。
【図１】
2011021233.tif 000003
【図２】
2011021233.tif 000004
【図３】
2011021233.tif 000005
【国際調査報告】
2011021233.tif 000006
2011021233.tif 000007
2011021233.tif 000008
2011021233.tif 000009